(57)【要約】【課題】  原稿ジャムが発生したときに、どの原稿がジャムで読み取りできなかったかユーザが分かるようにシートスルー原稿送給装置に表示器を設けて、シートスルー原稿送給装置内に複数枚原稿があっても、ユーザがリカバリする原稿を直ぐに認識できる画像読み取り装置を提供する。【解決手段】  シートスルー原稿送給装置の原稿読み取りにおいて原稿ジャムが発生したときに、ジャム原稿を認識させる画像読み取り装置において、どの原稿がジャムで読み取りできなかったかを識別できるようにシートスルー原稿送給装置に表示器４１〜４６を設け、これによって前記シートスルー原稿送給装置内の読み取りをリカバリすべき原稿の即座の認識を可能にする。【選択図】  図３
2005323106.tif 000002
【特許請求の範囲】
【請求項１】
シートスルー原稿送給装置による原稿読み取り過程において原稿ジャムが発生して原稿の送給を停止したときに、ジャム原稿の有無を認識させる画像読み取り装置において、ジャム発生によって読み取りを受けなかった原稿の停止位置を識別、表示するための表示器を備えたことを特徴とする画像読み取り装置。
【請求項２】
原稿ジャムが発生したときに、読み取りが正常終了した後、ジャムになった原稿と読み取りを失敗した原稿とを判別できるように、前記表示器の表示色または表示方法を変えることを特徴とする請求項１記載の画像読み取り装置。
【請求項３】
原稿ジャムが発生したときに、読み取りを受けていない原稿であることを識別、表示できるように前記表示器の表示色または表示方法を変えることを特徴とする請求項１記載の画像読み取り装置。
【発明の詳細な説明】
【技術分野】
【０００１】
本発明は、シートスルー原稿送給装置を使用するスキャナ、複写機、ファクシミリ、複合機などの画像読み取り装置に関するものである。
【背景技術】
【０００２】
従来、シートスルー原稿送給装置にて原稿読み取りを行う場合、給紙中のジャム、読み取り中のジャム、原稿反転中のジャムなどが発生することがあった。
【発明の開示】
【発明が解決しようとする課題】
【０００３】
かかる従来技術のシートスルー原稿送給装置（ＤＦ）においては搬送経路が複雑になっており、複数の原稿が搬送経路内に同時に存在することも多々あるので、ジャムが発生した場合に、ユーザがどの位置にあるどの原稿をもう一度読み直しすればよいのか分かりにくい場合がある。
また、原稿ジャムが発生したときに、当該原稿が、読み取りが正常終了した後にジャムになった原稿であるか、或いは読み取り途中にジャムになった原稿であるかが分かりにくく、さらに、原稿ジャムが発生したときに、両面のときなどシートスルー原稿送給装置内でまだ読み取りを開始しているのかいないのか分かりにくい場合がある。
本発明の目的は、原稿ジャムが発生したときに、どの原稿がジャムで読み取りできなかったかユーザが分かるように、シートスルー原稿送給装置に表示器を設けて、シートスルー原稿送給装置内に複数枚原稿があっても、ユーザがリカバリする原稿を直ぐに認識できる画像読み取り装置を提供することにある。
【課題を解決するための手段】
【０００４】
上記の課題を解決するために、請求項１に記載の発明は、シートスルー原稿送給装置の原稿読み取りにおいて原稿ジャムが発生したときに、ジャム原稿を認識させる画像読み取り装置において、どの原稿がジャムで読み取りできなかったかを識別できるようにシートスルー原稿送給装置に表示器を設け、これによって前記シートスルー原稿送給装置内の読み取りをリカバリすべき原稿の即座の認識を可能にする画像読み取り装置を特徴とする。
また、請求項２に記載の発明は、原稿ジャムが発生したときに、読み取りが正常終了した後、ジャムになった原稿の場合と読み取りを失敗した原稿の場合とを判別できるように表示色または表示方法を変える請求項１記載の画像読み取り装置を特徴とする。
また、請求項３に記載の発明は、原稿ジャムが発生したときに、前記シートスルー原稿送給装置内でまだ読み取りを開始していない原稿であることを識別できるように前記表示器の表示色または表示方法を変える請求項１記載の画像読み取り装置を特徴とする。
【発明の効果】
【０００５】
本発明によれば、シートスルー原稿送給装置にて原稿読み取りを行う場合、給紙中のジャム、読み取り中のジャム、原稿反転中のジャムなどが発生することがあるが、搬送経路が複雑になっており、原稿ジャムが発生した時に、どの原稿がジャムで読み取りできなかったかユーザが分かるようにシートスルー原稿送給装置に表示器を設け、シートスルー原稿送給装置内に複数枚原稿があっても、ユーザがリカバリする原稿を直ぐに認識できるようになる。
【発明を実施するための最良の形態】
【０００６】
以下、図面を参照して、本発明の実施の形態を詳細に説明する。図１は本発明に係る画像読み取り装置の全体構成図である。原稿台ガラス１上に置かれた原稿は、第１ミラー２と一体に構成された照明ランプ３により照射され、その反射光は、第１ミラー２および一体に構成された第２ミラー４、第３ミラー５で走査される。
その後反射光は、レンズ３１により集束され、ＣＣＤ６に照射され光電変換される。第１ミラー２、照明ランプ３および第２ミラー４、第３ミラー５は、走行体モータ７を駆動源として、Ａ方向に移動可能となっている。
原稿トレイ８に積載された原稿は、ピックアップローラ９、レジストローラ対１０、搬送ドラム１１、搬送ローラ１２により読み取り位置Ｂを経て、搬送ローラ対１３および排紙ローラ対１４へ送り込まれ、排紙トレイ３２上に排出される。
原稿は、読み取り位置Ｂを通過するさいに、読み取り位置Ｂ近傍に移動されている照明ランプ３により照射され、その反射光は、第１ミラー２および一体に構成された第２ミラー４、第３ミラー５で走査される。
その後反射光は、レンズ３１により集束され、ＣＣＤ６に照射され光電変換される。ピックアップローラ９、レジストローラ対１０は、給紙モータ（図示せず）により駆動され、搬送ドラム１１、搬送ローラ１２、搬送ローラ対１３、排紙ローラ対１４は、搬送モータ（図示せず）により駆動される。
【０００７】
読み取り位置Ｃには密着イメージセンサ１５が設置されている。この密着イメージセンサ１５は、光源であるＬＥＤ（図示せず）、レンズ（図示せず）、センサ素子（図示せず）で構成されている。
原稿は、読み取り位置Ｃを通過するさいに、読み取り位置Ｂで読み取られた反対の面（裏面）を読み取り位置Ｃに設置されている密着イメージセンサ１５内ランプにより照射され、その反射光は密着イメージセンサ１５上レンズにより集束され、密着イメージセンサ１５上センサ素子に照射され光電変換される。
密着イメージセンサ１５の原稿を挟んだ対向部には白色ローラ１７が設置されていて、密着イメージセンサ１５による読み取り時のシェーディング補正用白色部材として使用される。
搬送ローラ対１３と排紙ローラ対１４との間には、エンドーサユニット１８とエンドーサプラテン１９が設置されている。エンドーサ１８はインクを染み込ませたアルファベット文字と数字の印からなる印字部と、印字部をエンドーサプラテン１９方向に加圧する加圧ソレノイド（図示せず）から構成されている。
原稿をエンドーサ１８上に停止させ、エンドーサプラテン１９で加圧方向に固定し、エンドーサ１８印字部への加圧により原稿面にアルファベット文字や数字を印字することができる。
【０００８】
図２は本発明に係る画像読み取り装置を示す全体ブロック図である。図２において、ＳＢＵ２０上のＣＣＤ６に入光した原稿の反射光はこのＣＣＤ６内で光の強度に応じた電圧値を有するアナログ信号に変換される。
アナログ画像信号は奇数ビットと偶数ビットに分かれて出力される。このアナログ画像信号はＳＢＵ２０上でアナログ処理回路（図示せず）において暗電位部分が取り除かれ、奇数ビットと偶数ビットが合成され、所定の振幅にゲイン調整された後にＡ／Ｄコンバータに入力されデジタル信号化される。
デジタル化された画像信号は、ＳＣＵ２１上のＮＩＰＵ３３で、シェーディング補正、ガンマ補正、ＭＴＦ補正等が行なわれた後、２値化され、ページ同期信号、ライン同期信号、画像クロックとともにビデオ信号として出力される。
ＮＩＰＵ３３から出力されたビデオ信号はコネクタ３４を介してオプションＩＰＵ（２６）へ出力されている。オプションＩＰＵ（２６）へ出力されたビデオ信号は、オプションＩＰＵ２６内で所定の画像処理が行なわれ、再びＳＣＵ２１へ入力される。
再びＳＣＵ２１へ入力されたビデオ信号はセレクタ（図示せず）に入力される。このセレクタのもう一方の入力はＮＩＰＵ３３から出力されたビデオ信号となっていて、オプションＩＰＵ２６で画像処理するかまたはしないかを選択できる構成となっている。
前記セレクタから出力されたビデオ信号は画像データ記憶手段（ＤＲＡＭ）を管理するＳｉＢＣ３５に入力され、ＤＲＡＭで構成される画像メモリに蓄えられる。画像メモリに蓄えられた画像データはＳＣＳＩコントローラ３６に送られ、パソコン等の外部装置へ転送される。
密着イメージセンサ１５で光電変換されたアナログ画像信号はＲＳＢＵ１６上でデジタル変換される。デジタル化された画像信号はＲＳＢＵ上でシェーディング補正が施された後に、ＲＣＵ２３へ送られる。
【０００９】
ＲＣＵ２３はＤＲＡＭで構成される画像メモリと画像データメモリを制御するＳｉＢＣ３５で構成され、画像データをいったん画像メモリに蓄積した後にＳＣＵ２１へ転送する。
ＲＣＵ２３からＳＣＵ２１へ送られた画像データと、ＳＣＵ２１上のＳｉＢＣ３５から出力される画像データは切り換え可能となっており、いずれかの画像データを選択してＳＣＳＩコントローラ３６へ転送される。
ＳＣＵ２１上には、ＣＰＵ３７、ＲＯＭ３８、ＲＡＭ３９が実装されており、ＣＰＵ３７は、ＳＣＳＩコントローラ３６を制御してパソコン等の外部装置との通信を行なう。
また、ＣＰＵ３７は、ステッピングモータである走行体モータ７、給紙モータ、搬送モータのタイミング制御も行なっている。ＡＤＵ３０は、自動原稿搬送機構（ＡＤＦ）部に用いる電装部品の電力供給を中継する機能を有する。
ＳＣＵ２１上のＣＰＵ３７に接続されている入力ポートはＩＯＢ２４を介して本体操作パネル２８に接続されている。この本体操作パネル２８上にはスタートスイッチ（図示せず）とアボートスイッチ（図示せず）が実装されている。それぞれのスイッチが押下されると入力ポートを介してＣＰＵ３７はスイッチがオンされたことを検出する。
【００１０】
図３はシートスルー原稿送給装置の側面に取り付けられた給紙前、給紙中、読み取り前、読み取り中、反転給紙中、排紙中の６点におけるＬＥＤを示す概略図である。
図３のように、給紙前、給紙中、読み取り前、読み取り中、反転給紙中、排紙中４６の６点において、それぞれ給紙前ＬＥＤ４１、給紙中ＬＥＤ４２、読み取り前ＬＥＤ４３、読み取り中４４、反転給紙中ＬＥＤ４５、排紙中ＬＥＤ４６をシートスルー原稿送給装置の側面に取り付ける。
原稿の搬送中の位置を各センサで把握しており、読み取り中にジャムが発生した場合、図４のフローチャートで後述するように原稿が停止している場所のＬＥＤ４１〜４６を赤色で点滅し、その原稿をリカバリすることをユーザに知らせる。
図３のレイアウトの場合、両面読み取りでも読み取りは同じ経路を通過することになるので、裏面読み取り中のジャムも読み取り中ＬＥＤ４４を点滅する。もし経路が増える場合、表示のＬＥＤを増やすことにより対応する。ユーザは点滅している位置にある原稿を再度読み取りする必要があることを認識できる。従って、ジャム処理によってジャム原稿を取り出して再度の読取を行う。
【００１１】
図４はジャム検出から原稿の存在場所認識動作を説明するフローチャートである。図３の構成において、原稿ジャム発生かどうか判断し（Ｓ１）、原稿ジャムが発生したならば、読み取り前かどうか判断する（Ｓ２）。読み取り前４３であるならば、原稿の存在場所のＬＥＤを緑色点滅で表示する（Ｓ３）。
原稿ジャムの発生が読み取り前でないならば、原稿読み取り中かどうか判断し（Ｓ４）、読み取り中であるならば、原稿の存在場所のＬＥＤ４１〜４６のいずれかを緑色点滅で表示する（Ｓ５）。
読み取り中でないならば、原稿読み取り後かどうか判断し（Ｓ６）、原稿読み取り後であるならば、原稿の存在場所のＬＥＤ４１〜４６のいずれかを緑色点滅で表示する（Ｓ７）。また、読み取り後でないならば、原稿の存在場所のＬＥＤ４１〜４６のいずれかを緑色点滅で表示する（Ｓ８）。
上述のごとく、原稿読み取り後にジャムになったとき、原稿の位置がまだ読み取り中にある場合があるが、その原稿の読み取りが終了していることをユーザに知らせる。
このため、図４のフローチャートのように原稿が停止している場所のＬＥＤ４１〜４６のいずれかを緑色で点灯させる。ユーザはＬＥＤが緑色であるのでその位置にある原稿が読み取り終了していることを知ることができる。
ユーザはＬＥＤが緑色であるのでその位置にある原稿が読み取り終了していることを知ることができる。読み取りが正常終了した後、ジャムになった原稿の場合と読み取りを失敗した場合とどちらか分かるように表示色または表示方法（点灯、点滅、その他の表示方法）を変えることができ、読み取り成功した原稿か読み取りを失敗した原稿か分かるようになる。
両面読み取りの場合にジャムになった場合、表面読み取りも裏面読み取りも読み取り位置が同じ場所なので読み取り中なのか読み取り前なのか分かりにくい。もしその原稿が、読み取り前にジャムになった場合、図４のフローチャートのように原稿が停止している場所のＬＥＤを緑色で点滅させ、まだ読み取りが終了していないことをユーザに知らせる。
上述したように、原稿ジャムが発生したときに、シートスルー原稿送給装置内でまだ読み取りを開始していない原稿であることをユーザが分かるようにシートスルー原稿送給装置に表示器の表示色または表示方法を変えることによりその原稿がまだ読み取りされているかいないか分かるようになる。
【図面の簡単な説明】
【００１２】
【図１】本発明に係る画像読み取り装置の全体構成図である。
【図２】本発明に係る画像読み取り装置を示す全体ブロック図である。
【図３】シートスルー原稿送給装置の側面に取り付けられた給紙前、給紙中、読み取り前、読み取り中、反転給紙中、排紙中の６点におけるＬＥＤを示す概略図である。
【図４】ジャム検出から原稿の存在場所認識動作を説明するフローチャートである。
【符号の説明】
【００１３】
４１  表示器（給紙前ＬＥＤ）
４２  表示器（給紙中ＬＥＤ）
４３  表示器（読み取り前ＬＥＤ）
４４  表示器（読み取り中）
４５  表示器（反転給紙中ＬＥＤ）
４６  表示器（排紙中ＬＥＤ）
【図１】
2005323106.tif 000003
【図２】
2005323106.tif 000004
【図３】
2005323106.tif 000005
【図４】
2005323106.tif 000006